(57)【要約】      （修正有）【課題】エレベータのかご室内を空調するとともに、かご室が昇降しても、かご室内の騒音を低減することができるエレベータかご室の換気装置を得る。【解決手段】エレベータかご室の換気装置は、かご室の天井４の上面に設けられ、外気を吸入口から吸い込んでかご室内へ空気を送り込む空調機と、天井に設けられ、空調機から吐き出される空気が通る通気口４ｂと、天井に設けられ空調機と通気口とを覆う防音カバー８とを備え、この防音カバーには空調機の吸い込み側に対向した前カバー８ａを有し、天井の上面より上方に配置されて前カバーに設けられ、空調機が吸い込む空気が通る吸込み口７ｂを供えた。【選択図】図２
2010265099.tif 000002
【特許請求の範囲】
【請求項１】
かご室の天井の上面に設けられ、外気を吸入口から吸い込んで前記かご室内へ空気を送り込む空調機と、
前記天井に設けられ、前記空調機から吐き出される空気が通る通気口と、
前記天井に設けられ前記空調機と前記通気口とを覆う防音カバーと、
該防音カバーには前記空調機の吸い込み側に対向した前カバーを有し、前記天井の上面より上方に配置されて前記前カバーに設けられ、前記空調機が吸い込む空気が通る吸込み口と、
を備えたことを特徴とするエレベータかご室の換気装置。
【請求項２】
前記防音カバーには、前記吸込み口周辺の内面に吸音材が設けられていることを特徴とする請求項１に記載のエレベータかご室の換気装置。
【請求項３】
前記空調機の吸入口と前記防音カバーの前記前カバーとの間隔が前記空調機のファンの直径以上であることを特徴とする請求項２に記載のエレベータかご室の換気装置。
【発明の詳細な説明】
【技術分野】
【０００１】
この発明は、エレベータかご室内を空調する換気装置に係り、特に外部からかご室内に侵入する騒音を低減するのに好適なエレベータかご室の換気装置に関するものである。
【背景技術】
【０００２】
従来のエレベータかご室の換気装置は、かご室の天井板に照明ケースが垂設され、かご室の側板と照明ケースとの間に換気ファンが設けられている。また、換気ファンの吸入口は上向きに配置されており、この吸入口の上側を覆うように吸入口付近にカバーが取り付けられている。また、このカバーは天井板上面との間に間隙を設けて吸込み口を形成している。そして、換気ファンによって吸込み口から空気が吸い込まれ、換気ファンの吸入口及び吐き出し口を介してかご室内に供給される。（例えば、特許文献１参照）
【先行技術文献】
【特許文献】
【０００３】
【特許文献１】特開２０００−８６１２４号公報（第４頁、第１図）
【発明の概要】
【発明が解決しようとする課題】
【０００４】
前述した従来のエレベータかご室の換気装置は、カバーが換気ファンの吸入口付近に設けられ、天井板上面とで空気吸入口を形成しているので、吸入される空気は天井板上面に沿って流れてかご室内へ供給される。また、かご室が昇降する際、天井板上面に空気が当り、この空気が天井板上面に沿って流れてかご室内へ流入する。このように、かご室の昇降に伴う空気の気流が換気装置による気流に加わって、かご室へ空気が流れ込む。そのため、かご室内では、大きな気流となってこの気流による騒音が発生するといった問題点があった。
本発明は、かかる問題を解決するためになされたもので、その目的は、エレベータのかご室内を空調するとともに、かご室が昇降しても、かご室内の騒音を低減することができるエレベータかご室の換気装置を得ることである。
【課題を解決するための手段】
【０００５】
この発明に係るエレベータかご室の換気装置は、かご室の天井の上面に設けられ、外気を吸入口から吸い込んでかご室内へ空気を送り込む空調機と、天井に設けられ、空調機から吐き出される空気が通る通気口と、天井に設けられ空調機と通気口とを覆う防音カバーとを備え、この防音カバーには空調機の吸い込み側に対向した前カバーを有し、天井の上面より上方に配置されて前カバーに設けられ、空調機が吸い込む空気が通る吸込み口を供えたものである。
【発明の効果】
【０００６】
これにより、かご室が昇降して空気が天井の上面に当って、この空気が天井の上面に沿って流れても、直接に防音カバー内に流入せずに、前カバーの外面に一度は跳ね返されて吸込み口から流入する。そのため、かご室の昇降に伴う気流が空調機による気流に加わることがなく、かご室内に供給される空気の気流が増大しない。従って、気流によるかご室内の騒音を低減することができる。
【図面の簡単な説明】
【０００７】
【図１】本発明の実施の形態１におけるエレベータかご室の換気装置が取り付けられたかご室の全体を示した図である。
【図２】図１の換気装置を拡大した側面断面図である。
【図３】エレベータかご室の換気装置を示した上面断面図である。
【図４】防音カバーの斜視図を示した図である。
【図５】防音カバーを分解して示した図である。
【図６】換気装置が空調する動作を示した図である。
【図７】かご室１が下降しているときに、かご室まわり発生する気流を示した図である。
【図８】かご室内に音が伝播する様子を示す側面図である。
【図９】かご室内に音が伝播する様子を示す上面図である。
【発明を実施するための形態】
【０００８】
以下、本発明の実施の形態について、詳細に説明する。
実施の形態１．
図１は、本発明の実施の形態１におけるエレベータかご室の換気装置が取り付けられたかご室の全体を示した図である。図２は、図１の換気装置を拡大した側面断面図である。図３はエレベータかご室の換気装置を示した上面断面図である。
かご室１はかご枠２に支持され、かご枠２をロープ２ａで吊り下げて、ロープ２ａを図示しない駆動装置で駆動することでかご室１が昇降路３内を昇降する。かご室１は天井４とかご室壁５とかご床５ａとを有した、箱形状となっている。そして、天井４には内側に照明ケース４ａが設けられている。また、天井４にはかご室壁５と照明ケース４ａとの間で通気口４ｂが設けられている。そして通気口４ｂへ空気を供給する換気装置６が天井４の上面外側に設けられている。この換気装置６によって空気が通気口４ｂへ流入する。この流入した空気が、かご室壁５と照明ケース４ａとの間に形成された空間を通り、かご室１内へ供給されてかご室１内が空調される。
【０００９】
換気装置６は、空調機である換気ファン７を備えている。この換気ファン７は天井４の上面に取り付けられており、換気ファン７の吐出し口７ａが天井４の通気口４ｂに対向している。また、換気ファン７の吸入口７ｂは吐出し口７ａと直交方向で天井４の中央側に向けられている。そして、換気ファン７の駆動により、内部に装備されたファン７ｃが回転し、空気が吸入口７ｂから吸込まれ、吐出し口７ａから吐出されて、通気口４ｂを通じてかご室１内に供給される。
【００１０】
また、換気装置６は、換気ファン７と通気口４ｂとを覆う防音カバー８を備えており、この防音カバー８は天井４の上面に取り付けられている。図４は防音カバー８の斜視図を示した図で、図５は防音カバー８を分解して示した図である。防音カバー８は、吸入口７ｂに対面した前カバー８ａと、前カバー８ａに対向して換気ファン７の後側に配置された後カバー８ｂとを有している。また、防音カバー８は上カバー８ｃと側面カバー８ｄを有している。側面カバー８ｄは、前カバー８ａと後カバー８ｂの側面側にボルト８ｅによって取り付けられて、換気ファン７の側面側に配置されている。そして、上カバー８ｃは側面カバー８ｄの上面にボルト８ｅによって取り付けられて換気ファン７の上面に配置されている。このように防音カバー８は、前カバー８ａと、後カバー８ｂと、上カバー８ｃと側面カバー８ｄとを有し、それぞれが互いに分割可能にボルト８ｅによって結合されている。また、防音カバー８はかご枠２に近接して配置されており、かご枠２と天井４との高さ寸法を極力小さくしている。
【００１１】
また、前カバー８ａは換気ファン７の吸入口７ｂからファン７ｃの直径以上に離れて配置されている。そして、前カバー８ａには、吸込み口９が設けられており、外気の空気と通じるように開口されている。この吸込み口９は天井４の上面より上方に配置されており、本実施の形態では換気ファン７の回転中心部よりほぼ上に配置されている。また、吸込み口９は、上から視て換気ファン７の側面方向の幅とほぼ同じ寸法となっている。また、防音カバー８には、吸込み口９の周辺の内面に吸音材１０が設けられている。この吸音材１０は、吸込み口９の下側で前カバー８ａの内面に貼り付けられている。その他に、吸音材１０は前カバー８ａから換気ファン７の近傍までの上カバー８ｃの内面側にも貼り付けられており、同様に、前カバー８ａから換気ファン７の近傍までの側面カバー８ｄの内面側にも貼り付けられている。また、吸音材１０は、前カバー８ａから換気ファン７の近傍までの天井４の上面にも貼り付けられている。
【００１２】
次に、換気装置６が空調する動作について説明する。図６は、換気装置６が空調する動作を示した図である。図７はかご室１が下降しているときに、かご室１まわりに発生する気流を示した図である。この図６及び７を用いて説明する。
換気ファン７の駆動によって、ファン７ｃが図６の左回転方向に回転する。この回転により、外気の空気が、図６の矢印Ａのように吸込み口９から防音カバー８の前面側の空間に吸い込まれる。そして、防音カバー８の前面側の空間の空気が、換気ファン７の吸入口７ｂより吸い込まれて、吐出し口７ａ及び通気口４ｂに吐き出されてかご室１内部へ供給される。なお、ファン７ｃの回転により、空気は、図６の矢印Ｂのように換気ファン７の上部側へと流入するような気流で、換気ファン７の吸入口７ｂに吸い込まれる。
【００１３】
換気装置６は上記のようにかご室１内を空調するが、かご室１が昇降路３内を昇降しているときは次のように空調する。
かご室１が上昇しているとき、図６の矢印Ｃのように天井４の上面に空気が当り、この空気は天井４の上面に沿って流れる。そして、この空気は前カバー８ａの外面に当って、一度は跳ね返されて、吸込み口９に吸い込まれる。一方、図７のようにかご室１が下降しているとき、昇降路３内においては、かご室１の上部の空間が大気圧以下となり、かご室１の下部の空間が大気圧以上となって、この空気圧変動によってかご室１と昇降路３の壁との間隙に上昇する気流が発生する。そして、この気流は図７の矢印Ｄのようにかご室１の上部へ流れて、天井４の上面側へ回り込む。天井４の上面側へ回り込んだ空気は、天井４の上面に当って、かご室１が上昇しているときと同様に、前カバー８ａの外面に跳ね返されて吸込み口９に吸い込まれる。以上のように、かご室１が昇降しているときは、天井４の上面に当った空気は、前カバー８ａの外面に一度は跳ね返されて吸込み口９に吸い込まれ、換気ファン７の吸入口７ｂより入り込んで通気口４ｂへ吐出されて、かご室１内部に供給される。
【００１４】
次に、昇降路３内で発生した音や換気ファン７ｃによる気流に伴う音がかご室１内に伝播する動作について説明する。図８はかご室１内に音が伝播する様子を示す側面図で、図９はその上面図である。この図８及び９を用いて説明する。
昇降路３内で発生した音は、次のように換気装置６を介してかご室１内に伝播する。昇降路３内で発生した音は、まず、空気伝播によって吸込み口９から換気装置６内に侵入する。この音は、図８の矢印Ｆ、Ｇや図９の矢印Ｈ、Ｊのように直接吸込み口９から侵入するものや、図８の矢印Ｋのように天井４の上面に当って跳ね返されて吸込み口９から侵入するものがあり、様々な方向から吸込み口９から侵入する。図８の矢印Ｆや図９の矢印Ｈのようにほぼ水平方向から侵入する音は、防音カバー８内に入って、そのまま換気ファン７の吸入口７ｂへと入り、吐出し口７ａ及び通気口４ｂから出てかご室１内へ伝播する。また、図８の矢印Ｇ、Ｋや図９の矢印Ｊのように斜め方向から侵入する音は、それぞれ防音カバー８の内面に設けられた吸音材１０に当って吸収される。そして、音は吸音材１０に吸収されて小さくなり、この小さくなった音が換気ファン７の吸入口７ｂへと入り、吐出し口７ａ及び通気口４ｂから出てかご室１内へ伝播する。
【００１５】
音は、上記とともに換気ファン７によって防音カバー８内に発生した気流に沿って、防音カバー８内に入り乱れながらかご室１内に伝播する。また、換気ファン７によって発生した気流の風切り音も入り混じってかご室１内へ伝播する。そして、これらの音は吸音材１０に吸収されて小さくなった状態でかご室１内へ伝播する。
【００１６】
以上の実施の形態１におけるエレベータかご室の換気装置は、次に示す効果を奏する。
換気装置６においては、防音カバー８が換気ファン７と通気口４ｂを覆い、防音カバー８には換気ファン７の吸入口７ｂに対向した前カバー８ａを有し、外気の空気と通じる吸込み口９が天井４の上面より上方に配置されて前カバー８ａに設けられている。そして、かご室１が昇降路３内を昇降するとき、空気は天井４の上面に当り、この空気が天井４の上面に沿って流れる。しかしながら、実施の形態１では、前述の構成となっているので、天井４の上面に当った空気は直接に防音カバー８内に流入せずに、前カバー８ａの外面に一度は跳ね返されて吸込み口９から流入する。そのため、かご室１の昇降に伴う気流が換気装置６による気流に加わることがなく、かご室１内に供給される空気の気流が増大しない。従って、気流によるかご室１内の騒音を低減することができる。
【００１７】
また、換気ファン７は上部側へと流入するような気流で空気を吸入するので、吸込み口９がファンの回転中心部より上側に配置したことにより、気流の乱れが少なく、圧損が低減される。そのため、通気口４ｂへ吐き出される風量の低下がない。風量の低下がないことから、換気ファン７の回転数が増大しない。従って、換気ファン７の回転による騒音を低減させることができ、さらにかご室１内の騒音を低減することができる。
【００１８】
また、防音カバー８には、吸込み口９の周辺の内面に吸音材１０が設けられているので、昇降路３内に発生した音や換気ファン７により発生した気流に伴う風切り音を吸音材１０が吸収して低減する。そのため、さらにかご室１内の騒音を低減できる。
【００１９】
また、前カバー８ａは換気ファン７の吸入口７ｂからファン７ｃの直径以上に離れて配置されている。これにより、吸込み口９から防音カバー８内に流入された空気は、気流の乱れが少ない状態で換気ファン７に吸入される。そのため、換気ファン７の圧損が低減され、通気口４ｂへ吐き出される風量の低下がない。風量の低下がないことから、換気ファン７の回転数が増大しない。従って、換気ファン７の回転による騒音を低減させることができ、さらにかご室１内の騒音を低減することができる。
【００２０】
また、防音カバー８は、前カバー８ａと、後カバー８ｂと、上カバー８ｃと側面カバー８ｄとを有し、それぞれが互いに分割可能に結合されている。これにより、かご枠２と天井４との高さ寸法に制限があって、防音カバー８がかご枠２に近接して配置されていても、防音カバー８を分割して各カバーを取り外すことができ、換気ファン７を保守することができる。
【符号の説明】
【００２１】
１  かご室、２  かご枠、３  昇降路、４  天井、４ｂ  通気口、６  換気装置、
７  換気ファン、７ａ  吐出し口、７ｂ  吸入口、８  防音カバー、８ａ  前カバー、
８ｂ  後カバー、８ｃ  上カバー、８ｄ  側面カバー、９  吸込み口、１０  吸音材
【図１】
2010265099.tif 000003
【図２】
2010265099.tif 000004
【図３】
2010265099.tif 000005
【図４】
2010265099.tif 000006
【図５】
2010265099.tif 000007
【図６】
2010265099.tif 000008
【図７】
2010265099.tif 000009
【図８】
2010265099.tif 000010
【図９】
2010265099.tif 000011